(57)【要約】【課題】  カード型メディアの抜き差し時の破損を有効に防止すると共に、抜き差し時の作業性も良好に確保した画像形成装置を提供する。【解決手段】  装置本体２に備えられた基板３２に実装されると共にコンパクトフラッシュが遊挿口部３０を通じて着脱自在に装着される差込スロット２７を備える。差込スロット２７は、コンパクトフラッシュの両側部をそれぞれ差込案内するための対向配置されたガイド壁部３３と、これら両ガイド壁部３３間に配置されると共にコンパクトフラッシュの差込位置を規制する差込規制壁部３４とを備え、両ガイド壁部３３と差込規制壁部３４とで囲まれる差込空間部３５に複数のピン接点３６が配置される。両ガイド壁部３３と差込規制壁部３４とにまたがって、差込空間部３５を外部空間３８から仕切ると共に各ピン接点３６を覆うカバー体３７が装着される。【選択図】    図３
2008003439.tif 000002
【特許請求の範囲】
【請求項１】
装置本体に備えられた基板に実装されると共にカード型メディアが遊挿口部を通じて着脱自在に装着されるメディア差込スロットが、カード型メディアの両側部をそれぞれ差込案内するための対向配置されたガイド壁部と、これら両ガイド壁部間に配置されると共にカード型メディアの差込位置を規制する差込規制壁部とを備え、両ガイド壁部と差込規制壁部とで囲まれる差込空間部に複数の接続用接点が配置されてなる画像形成装置において、
前記両ガイド壁部と前記差込規制壁部とにまたがって、前記差込空間部を外部空間から仕切ると共に前記各接続用接点を覆うカバー体が装着されたことを特徴とする画像形成装置。
【請求項２】
請求項１に記載の画像形成装置において、
前記カバー体が樹脂シートからなり、前記両ガイド壁部と前記差込規制壁部とにまたがってカバー体が貼着されていることを特徴とする画像形成装置。
【請求項３】
請求項１または請求項２に記載の画像形成装置において、
前記カバー体における前記カード型メディアの差込側端縁形状が、その幅方向の両端部から中央部に向けて、カード型メディアの差込方向下流側に漸次傾斜する傾斜切欠形状とされていることを特徴とする画像形成装置。
【請求項４】
請求項１ないし請求項３のいずれかに記載の画像形成装置において、
前記メディア差込スロットが前記装置本体の一側面に配置されると共に、装置本体にメディア差込スロットを覆う蓋カバーが備えられ、該蓋カバーは装置本体における前後方向の前側に、装置本体に回動自在に支持される枢支部が備えられ、該枢支部を支点として蓋カバーの後側が開閉操作自在とされていることを特徴とする画像形成装置。
【発明の詳細な説明】
【技術分野】
【０００１】
本発明は、コンパクトフラッシュ（登録商標）等のカード型メディアの抜き差し時の破損防止に適した画像形成装置に関するものである。
【背景技術】
【０００２】
従来、コピー機やファクシミリ装置等の画像形成装置においては、メンテナンスが手軽に行えるように、装置のソフトウエアの書き換えや、内部データの抜き出しをカード型メディアとしての例えばコンパクトフラッシュを利用して行っていた。そして、このようなメンテナンス用のコンパクトフラッシュはメンテナンス時にサービスマンが装置本体の差込スロットに差し込み、メンテナンス終了後には差込スロットから抜き取っていた。
【０００３】
また、このような差込スロットは、一般ユーザーが間違って使用しないように、装置本体の前面側から視認し難い位置に配置され、さらには、コンパクトフラッシュが差し込まれる差込スロットの差込端側は、差込スロットに対するコンパクトフラッシュの抜き差しの容易化のため、空間に比較的余裕を持たせた形状のいわゆる遊挿口部とされる場合が多い。
【０００４】
そして、図９に示されるように、このような差込スロット１０１は、各種の電子素子等が実装された基板１０２に実装されており、コンパクトフラッシュ１０３の両側部をそれぞれ差込案内するための対向配置されたガイドレール１０４ａを備えたガイド壁部１０４と、これら両ガイド壁部１０４間にわたって配置されると共にコンパクトフラッシュ１０３の差込位置を規制する差込規制壁部１０５とを備えた枠状に構成されていた。
【０００５】
また、両ガイド壁部１０４と差込規制壁部１０５とで囲まれる差込空間部１０６内には、多数の接続用接点としてのピン接点１０７が突出状に配置されていた。
【０００６】
そして、差込スロット１０１に対してコンパクトフラッシュ１０３が装着されると、各ピン接点１０７とコンパクトフラッシュ１０３内の各接点とが互いに回路接続される構造とされていた。
【０００７】
また、厚さの異なる２種類のカード型メディアに対応すべく、各カード型メディアの両側部をそれぞれ差込案内するためのガイド壁部と、両ガイド壁部間にわたって配置された差込規制壁部とを備えると共に、これら両ガイド壁部と差込規制壁部とを覆って装着されるカバーを備えたカード用コネクタが提案されている（例えば、特許文献１参照。）。
【０００８】
そして、各カード型メディアに対応する形状のカード差込口を通じて、各カード型メディアをそれぞれ装着する構造とされていた。
【０００９】
【特許文献１】特開２００５−５０６２１号公報
【発明の開示】
【発明が解決しようとする課題】
【００１０】
しかしながら、前記従来の画像形成装置における差込スロット１０１の構造によれば、差込スロット１０１の差込端側が、コンパクトフラッシュ１０３の差し込みのための空間に比較的余裕を持たせた遊挿口部とされているため、図１０に示されるように、差込スロット１０１に対してコンパクトフラッシュ１０３が若干傾斜した傾斜姿勢で誤挿入された場合、コンパクトフラッシュ１０３のハウジングが剥き出し状態となっているピン接点１０７に接触して曲げてしまい、使用不可能になる等の破損を招くおそれや、最悪の場合にはショートさせて、装置自体の機能を破損させるおそれもあった。
【００１１】
また、各ピン接点１０７が剥き出し状態で差込スロット１０１が基板１０２に実装された構造であり、基板１０２の取り扱い時に他の部品等との接触等により、ピン接点１０７に曲げ等の破損を招くおそれもあった。
【００１２】
これに対し、特許文献１に開示のように、カバーによってコンパクトフラッシュ１０３に対応するピッタリと適合する形状のカード差込口を構成し、傾斜状等の誤挿入を防止する構造とすれば、サービスマンがメンテナンス時に、装置本体の前面側から視認し難い位置に配置された差込スロット１０１に対してコンパクトフラッシュ１０３を抜き差し操作する際の作業性が悪くなるという欠点が生じる。
【００１３】
そこで、本発明は上記点に鑑み、カード型メディアの抜き差し時の破損を有効に防止すると共に、抜き差し時の作業性も良好に確保した画像形成装置を提供することを目的とする。
【課題を解決するための手段】
【００１４】
上記課題を解決するための技術的手段は、装置本体に備えられた基板に実装されると共にカード型メディアが遊挿口部を通じて着脱自在に装着されるメディア差込スロットが、カード型メディアの両側部をそれぞれ差込案内するための対向配置されたガイド壁部と、これら両ガイド壁部間に配置されると共にカード型メディアの差込位置を規制する差込規制壁部とを備え、両ガイド壁部と差込規制壁部とで囲まれる差込空間部に複数の接続用接点が配置されてなる画像形成装置において、前記両ガイド壁部と前記差込規制壁部とにまたがって、前記差込空間部を外部空間から仕切ると共に前記各接続用接点を覆うカバー体が装着された点にある。
【００１５】
また、前記カバー体が樹脂シートからなり、前記両ガイド壁部と前記差込規制壁部とにまたがってカバー体が貼着されている構造としてもよい。
【００１６】
さらに、前記カバー体における前記カード型メディアの差込側端縁形状が、その幅方向の両端部から中央部に向けて、カード型メディアの差込方向下流側に漸次傾斜する傾斜切欠形状とされている構造としてもよい。
【００１７】
また、前記メディア差込スロットが前記装置本体の一側面に配置されると共に、装置本体にメディア差込スロットを覆う蓋カバーが備えられ、該蓋カバーは装置本体における前後方向の前側に、装置本体に回動自在に支持される枢支部が備えられ、該枢支部を支点として蓋カバーの後側が開閉操作自在とされている構造としてもよい。
【発明の効果】
【００１８】
以上のように、本発明の画像形成装置によれば、両ガイド壁部と差込規制壁部とにまたがって、差込空間部を外部空間から仕切ると共に各接続用接点を覆うカバー体が装着された構造とされており、各接続用接点がカバー体で覆われているため、傾斜姿勢で差し込まれた場合のカード型メディアや他の部品等と各接続用接点との相互間の接触等がカバー体で有効に防止でき、ここに、抜き差し時の作業性を良好に確保した状態で、カード型メディアの抜き差し時の破損を有効に防止することができる利点がある。
【００１９】
また、カバー体が樹脂シートからなり、両ガイド壁部と差込規制壁部とにまたがってカバー体が貼着されている構造とすれば、成型品を起こさなくても樹脂シート材の打ち抜きや切り抜き等によりカバー体を容易に製作でき、安価に提供できる利点がある。
【００２０】
さらに、カバー体におけるカード型メディアの差込側端縁形状が、その幅方向の両端部から中央部に向けて、カード型メディアの差込方向下流側に漸次傾斜する傾斜切欠形状とされている構造とすれば、カバー体が差込空間部方向に撓んでいる場合であっても、カバー体の幅方向の両端部はそれぞれガイド壁部によって所定隙間の差込空間部が確保されており、メディア差込スロットに対してカード型メディアを漸次差込操作していけば、カード型メディアの差込側端縁は先ず、カバー体の幅方向の両端部位置に到着し、その後カバー体の幅方向の中央部位置に至るため、カード型メディアの差込側端縁によって、カバー体における差込空間部方向に撓んでいる部分が差込空間部の外部方向に漸次押し出されていくため、カバー体の端縁に引っ掛かることなく、カード型メディアの差込操作が良好に行える利点がある。
【００２１】
また、カバー体の差込側端縁形状が、その幅方向の両端部から中央部に向けて、カード型メディアの差込方向下流側に漸次傾斜する傾斜切欠形状とされているため、メディア差込スロットの幅方向中央位置がカバー体によって容易に確認でき、手探りによるカード型メディアの差込操作であっても容易に装着でき、抜き差し時の作業性も良好に確保できる利点がある。
【００２２】
さらに、メディア差込スロットが装置本体の一側面に配置されると共に、装置本体にメディア差込スロットを覆う蓋カバーが備えられ、該蓋カバーは装置本体における前後方向の前側に、装置本体に回動自在に支持される枢支部が備えられ、該枢支部を支点として蓋カバーの後側が開閉操作自在とされている構造とすれば、メディア差込スロットが装置本体の前面側からは視認し難い位置に配置された構造となるにもかかわらず、装置本体の前面側から手探りによりカード型メディアをメディア差込スロットに容易に装着でき、抜き差し時の作業性も良好に確保できる利点がある。
【発明を実施するための最良の形態】
【００２３】
以下、本発明の実施形態を図面に基づいて説明すると、図１は本発明の画像形成装置の一例としてのファクシミリ装置１を示している。このファクシミリ装置１は、装置本体２の上部に原稿読み取り用の読取部３が配置され、下部には読取部３で読み取られたデータを記録するための記録部４が配置されている。
【００２４】
そして、記録部４には記録装置および給紙カセットがそれぞれ上下に内装されており、給紙カセット内に載置される用紙を記録装置へ給紙して記録した後に、記録紙排出トレイへ排出するように構成されている。
【００２５】
また、読取部３の上方には、背面に配置された枢軸部５を介して開閉可能に構成される原稿押さえカバー６が配置され、該原稿押さえカバー６により読取部３上面の所定位置に載置された原稿を上方から押さえる構造とされている。そして、載置された原稿を読取部３により走査して、原稿の読み取りを行うように構成されている。
【００２６】
さらにまた、原稿押さえカバー６の一端部には、原稿を自動的に給紙する自動原稿搬送装置（ＡＤＦ装置）７が設けられており、該自動原稿搬送装置７は原稿供給トレイ８に載置された原稿を、一枚ずつピックアップして、読取部３の所定位置へ搬送し、読取部３により原稿の表面に表示された文字等からなる画像情報、いわゆる原稿内容を読み取った後に、原稿供給トレイ８の下側に配置された、即ち原稿押さえカバー６の上面に備えられた原稿排出トレイ９へ排出するように構成されている。
【００２７】
即ち、読取部３は、図示省略の読取装置を走査させて静止原稿を読み取るフラットベッドタイプのスキャナとして用いると共に、読取装置を位置固定して原稿を搬送しながら読み取りを行うシートフィードタイプのスキャナとして用いることができるように構成されている。
【００２８】
また、読取部３の正面にはファクシミリ装置１操作用のキーパネルが付設され、該キーパネルの各種操作キーを操作することにより、原稿内容の読み取りを行ったり、読み取った内容をファクシミリ送信する際の送信先の設定を行ったり、受信内容や読み取った内容の記録を行ったりするように構成されている。
【００２９】
さらに、本実施形態においては、装置本体２の下面に下段用カセットとなる給紙カセット１０が装着された構造とされている。この下段用給紙カセット１０の背面には、左右方向に離隔して一対の連結ブラケット１１が上向き突出状態に突設されており、各連結ブラケット１１は固定ネジ１２により装置本体２に固定された構造とされている。
【００３０】
また、装置本体２は、その背面に備えられた開口部を塞ぐバックカバー１３が、固定ネジ１４により着脱自在に装着された構造とされている。
【００３１】
装置本体２の下部一側面の背面寄りに位置して、図２ないし図５に示されるように、メンテナンス用の窓部１６が備えられており、該窓部１６は装置本体２の側面カバー２ａに形成された上下方向に細長い矩形の窓開口部１７と、該窓開口部１７を開閉自在に塞ぐ蓋カバー１８とを備えてなる構造とされている。また、本実施形態においては、側面カバー２ａや蓋カバー１８は合成樹脂の成形体により構成されている。
【００３２】
そして、装置本体２における前後方向の前側に位置した蓋カバー１８の一側部が、窓開口部１７の周縁部で側面カバー２ａに回動自在に支持された構造とされている。即ち、蓋カバー１８の一側部における上部および下部に、窓開口部１７の周縁部に上下方向の軸心回りに回動自在に支持された枢支部１９が備えられた構造とされている。このような枢支部１９としては、例えば、蓋カバー１８の一側部において上下方向にそれぞれ突出する支軸部が、窓開口部１７の周縁部内面にそれぞれ形成された凹部に、回動自在にそれぞれ嵌合される構造や、窓開口部１７の周縁部内面より上下方向にそれぞれ突出する支軸部が、蓋カバー１８の一側部にそれぞれ形成された凹部に、回動自在にそれぞれ嵌合される構造等によって提供される。
【００３３】
また、装置本体２における前後方向の後側に位置した蓋カバー１８の他側部が、窓開口部１７の周縁部に係脱自在に係止される構造とされている。即ち、蓋カバー１８の他側部における上下方向中間部に位置して、薄肉の弾性変形自在な撓み部２０を介して係止部２１が備えられている。窓開口部１７の周縁部内面に対向する係止部２１の表面には、図３ないし図５に示されるように、適宜間隔を有して分散配置された係止突条２１ａが上下方向に長さを有して突設されており、蓋カバー１８の閉状態で、これら係止突条２１ａ間に窓開口部１７の後側の周縁部が嵌り込んだ係止状態が得られる構造とされている。
【００３４】
そして、図２に示されるような蓋カバー１８の閉状態で、係止部２１を装置本体２の前方向に押動付勢することにより、撓み部２０の弾性変形を介して各係止突条２１ａと窓開口部１７の周縁部との係止状態が解除され、図３ないし図５に示すように、蓋カバー１８を開放することができる。また、蓋カバー１８の開状態より、蓋カバー１８を閉じる方向に押動付勢すれば、撓み部２０の弾性変形を介して各係止突条２１ａと窓開口部１７の周縁部との係止状態が得られ、図２に示す蓋カバー１８の閉状態が得られる。
【００３５】
この蓋カバー１８の内側に対応する装置本体２の内部には、図３ないし図５に示されるように、下部の一側部に外部機器接続用等に使用されるインターフェースコネクタとしてのＵＳＢコネクタ２３が配置されると共に、ＵＳＢコネクタ２３の一側部や上部にそれぞれカード型メディアとしてのコンパクトフラッシュ２４，２５が、着脱自在に装着されるメディア差込スロットとしての差込スロット２６，２７が配置された構造とされている。
【００３６】
従って、両差込スロット２６，２７は、高さ方向に位置ズレした状態で、かつそれぞれの差込スロット２６，２７への前記各コンパクトフラッシュ２４，２５の差込方向に対して直交する横方向に、即ち、本実施形態では、装置本体２背面側から見て、一部オーバーラップした状態で配置された構造となっている。そして、その横方向にオーバーラップした部分で両差込スロット２６，２７の相互間が互いに連通状態となる指挿入空間部２８が形成された構造とされている。
【００３７】
また、各差込スロット２６，２７に対してコンパクトフラッシュ２４，２５を抜き差し自在に装着するための差込口としての遊挿口部２９，３０が、蓋カバー１８の内側に位置してそれぞれ備えられており、これら遊挿口部２９，３０は前記指挿入空間部２８で互いに連通状とされている。そして、各遊挿口部２９，３０はコンパクトフラッシュ２４，２５の厚みよりも幅広の開口とされており、差し込みのための空間に比較的余裕を持たせた構造とされている。
【００３８】
各差込スロット２６，２７は、図３ないし図５に示されるように、それぞれ別の基板３１，３２の一側面に実装された構造とされている。そして、ＵＳＢコネクタ２３の一側部である装置本体２の後側に位置して配置された差込スロット２６は、客のデータ等が記憶され、通常は抜き差しせずに使用される標準装備用コンパクトフラッシュ２４が装着される標準装備用差込スロット２６とされている。
【００３９】
また、この差込スロット２６に対する標準装備用コンパクトフラッシュ２４の装着状態においては、標準装備用コンパクトフラッシュ２４は装置本体２内に位置されており、蓋カバー１８は係止部２１が窓開口部１７の周縁部に対して係脱操作自在な状態となっている。
【００４０】
一方、ＵＳＢコネクタ２３の上部に位置して配置された差込スロット２７は、ソフトウエアの書き換えや内部データの抜き出し等のメンテナンスを行う際に使用されるメンテナンス用コンパクトフラッシュ２５が装着されるメンテナンス用差込スロット２７とされている。
【００４１】
そして、この差込スロット２７に対するメンテナンス用コンパクトフラッシュ２５の装着状態においては、図４や図５に示されるように、メンテナンス用コンパクトフラッシュ２５の一部が装置本体２から飛び出し状態となるように構成されている。
【００４２】
また、図３ないし図６に示されるように、各差込スロット２６，２７は、従来同様、コンパクトフラッシュ２４，２５の両側部をそれぞれ差込案内するための対向配置されたガイドレール３３ａを備えたガイド壁部３３と、これら両ガイド壁部３３間にわたって配置されると共にコンパクトフラッシュ２４，２５が両ガイド壁部３３に沿って差し込まれた際に当接してコンパクトフラッシュ２４，２５の差込位置を規制する差込規制壁部３４とを備えた枠状に構成されている。
【００４３】
さらに、両ガイド壁部３３と差込規制壁部３４とで囲まれる差込空間部３５内には、多数の接続用接点としてのピン接点３６が差込規制壁部３４の表面から突出状に配置されている。
【００４４】
そして、本実施形態においては、差込空間部３５内に突出する各ピン接点３６を覆うべく、両ガイド壁部３３と差込規制壁部３４とにまたがってカバー体３７が装着されており、カバー体３７により差込空間部３５をその外部の外部空間３８から仕切った構造となっている。
【００４５】
また、カバー体３７は、ポリカーボネート（ＰＣ）やポリフェニレンエーテル（ＰＰＥ）等からなる厚みが０．５ｍｍ程度のフィルム状の樹脂シートからなり、図７や図８に示されるように、カバー体３７の一側面には、両ガイド壁部３３の領域や差込規制壁部３４の領域に対応して両面接着テープ３９が貼着されている。なお、カバー体３７を打ち抜き等により形成する場合には、打ち抜き等によるダレが発生するダレ面と反対側の面に両面接着テープ３９を貼着することにより、コンパクトフラッシュ２４，２５の差込スロット２６，２７に対する差込時における引っ掛かりが有効に防止できる。
【００４６】
そして、カバー体３７における両面接着テープ３９の剥離紙を外して、図６に示されるように、差込スロット２６，２７の所定位置に貼着することにより、カバー体３７を取付ける構造とされている。
【００４７】
また、カバー体３７におけるコンパクトフラッシュ２４，２５の差込側端縁３７ａは、図６や図７に示されるように、その幅方向の両端部から中央部に向けて、コンパクトフラッシュ２４，２５の差込方向下流側に漸次傾斜するＶ字やＵ字もしくはそれに類する形状の傾斜切欠形状とされている。
【００４８】
前記蓋カバー１８におけるＵＳＢコネクタ２３の配置位置に対応する矩形部分のＵＳＢカバー領域１８ａには、その周囲に沿って切断ライン部４１が配置されている。この切断ライン部４１は、図２ないし図４に示されるように、上部と前後両側の各辺に沿ってそれぞれ形成されたスリット４１ａと、各スリット４１ａの長さ方向中央部に位置してそれぞれ配置されると共に、ＵＳＢカバー領域１８ａを蓋カバー１８に連結して保持する適宜幅の保持片４１ｂとを有する構造とされている。ここに、ＵＳＢカバー領域１８ａは切断ライン部４１に沿って間欠的に配置された保持片４１ｂにより蓋カバー１８に一体に保持されている。
【００４９】
さらに、各保持片４１ｂの両側に位置したスリット４１ａの溝幅は、切断工具としてのニッパの切断刃部分が差込可能な若干より幅広に形成されており、切断刃差込孔４１ｃを構成している。そして、この切断刃差込孔４１ｃを利用してニッパにより、各保持片４１ｂを切断することにより、ＵＳＢカバー領域１８ａを蓋カバー１８から切り離し自在に構成されている。
【００５０】
本実施形態は以上のように構成されており、通常は窓部１６の蓋カバー１８は閉状態とされている。また、標準差込スロット２６には標準装備用コンパクトフラッシュ２４がセットされた状態とされている。
【００５１】
そして、メンテナンス時にメンテナンス用コンパクトフラッシュ２５を装着する必要がある場合には、蓋カバー１８の係止部２１と窓開口部１７の周縁部との係止状態を解除すれば、蓋カバー１８を開閉操作自在となり、蓋カバー１８を開放することによって露出した差込スロット２７にメンテナンス用コンパクトフラッシュ２５を差し込めばよい。また、メンテナンス終了後はメンテナンス用コンパクトフラッシュ２５を抜き取った後、蓋カバー１８を再度、初期の閉状態に戻しておけばよい。
【００５２】
そして、本実施形態においては、差込スロット２７における各ピン接点３６を覆った状態で、両ガイド壁部３３と差込規制壁部３４にまたがってカバー体３７が装着されているため、差込スロット２７に対してメンテナンス用コンパクトフラッシュ２５が、図１０に示されるように誤って傾斜姿勢で差し込まれた場合に、メンテナンス用コンパクトフラッシュ２５がカバー体３７の差込側端縁３７ａに当接してそれ以降の差し込みが規制されるため、メンテナンス用コンパクトフラッシュ２５と各ピン接点３６との相互間の接触等が有効に防止できる。また、メンテナンス用コンパクトフラッシュ２５が差し込まれる差込口である遊挿口部３０や外部空間３８は空間的に余裕がある構造とされているため、ここに、コンパクトフラッシュ２５の抜き差し時の作業性を良好に確保した状態で、コンパクトフラッシュ２５の抜き差し時の破損を有効に防止することができる利点がある。
【００５３】
さらに、カバー体３７における差込側端縁３７ａの形状が、その幅方向の両端部から中央部に向けて、コンパクトフラッシュ２５の差込方向下流側に漸次傾斜する傾斜切欠形状とされているため、フィルム状のカバー体３７が差込空間部３５方向に撓んでいる場合であっても、カバー体３７の幅方向の両端部はそれぞれガイド壁部３３によって所定隙間の差込空間部３５が確保されており、差込スロット２７に対してコンパクトフラッシュ２５を漸次差込操作していけば、コンパクトフラッシュ２５の差込側端縁は先ず、カバー体３７の幅方向の両端部位置に到着し、その後カバー体３７の幅方向の中央部位置に至るため、コンパクトフラッシュ２５の差込側端縁によって、カバー体３７における差込空間部３５方向に撓んでいる部分が差込空間部３５の外部方向に漸次押し出されていくため、カバー体３７の端縁に引っ掛かることなく、コンパクトフラッシュ２５の差込操作が良好に行える利点がある。
【００５４】
また、カバー体３７の差込側端縁３７ａの形状が、その幅方向の両端部から中央部に向けて、コンパクトフラッシュ２５の差込方向下流側に漸次傾斜する傾斜切欠形状とされているため、差込スロット２７の幅方向中央位置がカバー体３７によって容易に確認でき、手探りによるコンパクトフラッシュ２５の差込操作であっても差込スロット２７の位置確認が容易であるため、容易に装着でき、この点からも抜き差し時の作業性が良好に確保できる利点がある。
【００５５】
そして、本実施形態のように、差込スロット２７が装置本体２の一側面に配置されると共に、差込スロット２７を覆う蓋カバー１８が備えられ、蓋カバー１８は装置本体２における前後方向の前側に、装置本体２に回動自在に支持される枢支部１９が備えられ、該枢支部１９を支点として蓋カバー１８の後側が開閉操作自在とされている構造の場合、差込スロット２７が装置本体２の前面側からは視認し難い位置に配置された構造となるにもかかわらず、装置本体２の前面側から手探りによりコンパクトフラッシュ２５を差込スロット２７に容易に装着でき、この点においても抜き差し時の作業性が良好に確保できる利点がある。
【００５６】
また、カバー体３７がフィルム状の樹脂シートから形成する構造としているため、成型品を起こさなくても樹脂シート材の打ち抜きや切り抜き等により目的とする形状のカバー体３７を容易に製作できる。さらに、このカバー体３７を両ガイド壁部３３と差込規制壁部３４とにまたがって両面接着テープ３９により貼着する構造としているため、容易に装着することができる。ここに、簡単な構造で安価に提供できる利点がある。
【００５７】
従って、各種構成のメディア差込スロットであっても、対応する形状のカバー体３７を形成しておけば、容易に対応でき、従来のメディア差込スロットの実装構造に対してもカバー体３７を装着するだけで、容易に対応できる利点がある。
【００５８】
さらに、各ピン接点３６はカバー体３７で覆われた構造であるため、装置１の組付時等における基板３２の取り扱い時における他の部品等との接触等による破損も有効に防止できる。
【００５９】
なお、上記において、メンテナンス用コンパクトフラッシュ２５とそれに対応する差込スロット２７との相互間について説明しているが、標準装備用コンパクトフラッシュ２４とそれに対応する差込スロット２６との相互間においても同様の利点を奏する。
【００６０】
また、本実施形態においては、差込スロット２７にメンテナンス用コンパクトフラッシュ２５を装着した状態で、装着されたコンパクトフラッシュ２５が装置本体２から飛び出し状態となるため、コンパクトフラッシュ２５を抜き取らない場合には蓋カバー１８を閉じることができず、従って、メンテナンス終了後においてコンパクトフラッシュ２５が装着状態であることを容易に気付くため、コンパクトフラッシュ２５の抜き忘れが有効に防止できる。
【００６１】
さらに、差込スロット２７に装着されるメンテナンス用コンパクトフラッシュ２５が装置本体２から飛び出し状態となる構造とされているため、基板３２の端部にメンテナンス用差込スロット２７を実装する構造とすればよく、基板３２上のスペースの有効利用が図れ、基板３２のコンパクト化が図れる利点もある。
【００６２】
また、メンテナンス用コンパクトフラッシュ２５の装着状態で、装置本体２から飛び出し状態とされているため、装置本体２内に収容状態とされている標準装備用コンパクトフラッシュ２４と間違うおそれが無く、抜き間違いが有効に防止できる。
【００６３】
さらに、飛び出し部分を利用してメンテナンス用コンパクトフラッシュ２５を容易に抜き取ることができ、抜き取るための解除機構が不要になるという利点がある。さらに、標準装備用コンパクトフラッシュ２４においても、指挿入空間部２８を利用して容易に抜き取ることができ、標準差込スロット２６における解除機構も不要となる。
【００６４】
また、蓋カバー１８は、係止部２１の係脱操作によるいわゆるワンタッチ操作で、蓋カバー１８の開閉操作が可能となるため、使い勝手に優れるという利点がある。
【００６５】
さらに、メンテナンス用コンパクトフラッシュ２５の飛び出しにより蓋カバー１８の開状態も大きく確保され、蓋カバー１８の閉め忘れに気付き易く、コンパクトフラッシュ２５の抜き忘れがより有効に防止できる。
【００６６】
なお、前記実施形態において、カード型メディアの一例としてコンパクトフラッシュ２４，２５を採用した構造を示しているが、その他のメモリーカード等であってもよく、実施形態に何ら限定されない。
【００６７】
また、カバー体３７として、フィルム状の樹脂シートにより形成した構造を示しているが、樹脂板やその他の材料により形成した構造であってもよく、実施形態に何ら限定されない。
【００６８】
さらに、カバー体３７の形状も何ら実施形態の形状に限定されず、少なくとも各ピン接点３６が配置されている領域を覆う大きさを有していればよい。
【００６９】
また、前記実施形態においては、画像形成装置としてファクシミリ装置１に適用した構造について説明しているが、これに限定するものではなく、コピー機やスキャナ装置等その他の画像形成装置に適用することもできる。
【図面の簡単な説明】
【００７０】
【図１】本発明の実施形態にかかるファクシミリ装置の背面図である。
【図２】図１におけるII−II線矢視図である。
【図３】同蓋カバーの開状態を示す要部説明図である。
【図４】同メンテナンス用コンパクトフラッシュの装着状態を示す要部説明図である。
【図５】同平面説明図である。
【図６】カバー体の装着状態を示す説明図である。
【図７】カバー体の背面図である。
【図８】図７におけるVIII−VIII線矢視図である。
【図９】従来構造の差込スロットに対するコンパクトフラッシュの差込操作説明図である。
【図１０】差込スロットに対するコンパクトフラッシュの誤挿入状態の説明図である。
【符号の説明】
【００７１】
１  ファクシミリ装置
２  装置本体
１８  蓋カバー
１９  枢支部
２０  撓み部
２１  係止部
２４，２５  コンパクトフラッシュ
２６，２７  差込スロット
２８  指挿入空間部
２９，３０  遊挿口部
３１，３２  基板
３３  ガイド壁部
３４  差込規制壁部
３５  差込空間部
３６  ピン接点
３７  カバー体
３７ａ  差込側端縁
３８  外部空間
３９  両面接着テープ
【図１】
2008003439.tif 000003
【図２】
2008003439.tif 000004
【図３】
2008003439.tif 000005
【図４】
2008003439.tif 000006
【図５】
2008003439.tif 000007
【図６】
2008003439.tif 000008
【図７】
2008003439.tif 000009
【図８】
2008003439.tif 000010
【図９】
2008003439.tif 000011
【図１０】
2008003439.tif 000012